(57)【要約】【課題】  簡単で且つ風漏れの少ない構造を得られるようにする。【解決手段】  温風入口２５と冷風入口２６と温冷風出口２７とを有する切替器本体２９と、切替器本体２９の開口端部３０をシール材３１を介して回転可能に閉塞する操作ダイヤル３２と、軸部３９とシール羽根４０とを有し、温冷風出口２７に対する温風入口２５や冷風入口２６の連通状態を切替可能な切替弁４１とを備え、切替弁４１の軸部３９が切替器本体２９の底部軸心位置を貫通すると共に、軸部３９の貫通部４５に軸線方向に対して移動可能で回転方向に対して一体回転する移動リング式カムフォロワ４６を嵌着し、移動リング式カムフォロワ４６を切替器本体２９の底部外面に形成したカム面４８へ押圧可能な弾性部材４９を設けるようにしている。【選択図】        図３
2005289331.tif 000002
【特許請求の範囲】
【請求項１】
周面に温風入口と冷風入口と温冷風出口とを所要のピッチで有するほぼ有底円筒状の切替器本体と、
該切替器本体の開口端部をシール材を介して回転可能に閉塞する操作ダイヤルと、
前記切替器本体の軸心位置に配置され操作ダイヤルによって軸転される軸部を有すると共に、該軸部に設けられて切替器本体の内周面および底部内面に沿って摺接回転されるシール羽根とを有し、前記温冷風出口に対する温風入口や冷風入口の連通状態を切替可能な切替弁とを備え、
切替弁の軸部が切替器本体の底部軸心位置を貫通すると共に、軸部の貫通部に軸線方向に対して移動可能で回転方向に対して一体回転する移動リング式カムフォロワを嵌着し、
該移動リング式カムフォロワを切替器本体の底部外面に形成したカム面へ押圧可能な弾性部材を設けたことを特徴とする車両用温冷風切替器構造。
【発明の詳細な説明】
【技術分野】
【０００１】
この発明は、車両用温冷風切替器構造に関するものである。
【背景技術】
【０００２】
自動車などの車両には、車室内にカップホルダーが備えられている。このようなカップホルダーに対し、温風や冷風によって飲料を保温冷させ得るようにしたものが存在する。例えば、空調機の既設の吹出口にカップホルダーを取付けたもの（特許文献１参照）や、空調機から別途専用の吹出口を設けるようにしたもの（特許文献２参照）などが知られている。
【特許文献１】登録実用新案第３００９４９４号
【特許文献２】特開２００２−２３５４号公報
【発明の開示】
【発明が解決しようとする課題】
【０００３】
上記特許文献１、２に記載された保温冷機能付きのカップホルダーでは、空調機の吹出口を利用して保温冷を行わせるようにしていたため、空調機の暖房運転中にカップホルダーを保冷モードとしたり、空調機の冷房運転中にカップホルダーを保温モードとしたりすることができないという問題があった。
【０００４】
これに対し、トラックなどの大型車両では、温冷蔵庫を備えたものがあり、この温冷蔵庫に対する温風や冷風を利用することにより、空調機の運転モードに拘わらず、カップホルダーの保温冷のモードを任意に選択し得るようにすることが検討されている。
【０００５】
そして、カップホルダーの保温冷のモードを切替えるために温冷風切替器が必要となるが、この温冷風切替器として、操作が容易で見栄えの良い回転ドラム式のものを採用しようとした場合、簡単で且つ風漏れの少ない構造を備えるようにすることが要求される。
【課題を解決するための手段】
【０００６】
上記課題を解決するために、請求項１に記載された発明では、周面に温風入口と冷風入口と温冷風出口とを所要のピッチで有するほぼ有底円筒状の切替器本体と、該切替器本体の開口端部をシール材を介して回転可能に閉塞する操作ダイヤルと、前記切替器本体の軸心位置に配置され操作ダイヤルによって軸転される軸部を有すると共に、該軸部に設けられて切替器本体の内周面および底部内面に沿って摺接回転されるシール羽根とを有し、前記温冷風出口に対する温風入口や冷風入口の連通状態を切替可能な切替弁とを備え、切替弁の軸部が切替器本体の底部軸心位置を貫通すると共に、軸部の貫通部に軸線方向に対して移動可能で回転方向に対して一体回転する移動リング式カムフォロワを嵌着し、該移動リング式カムフォロワを切替器本体の底部外面に形成したカム面へ押圧可能な弾性部材を設けた車両用温冷風切替器構造を特徴としている。
【発明の効果】
【０００７】
請求項１の発明によれば、操作ダイヤルを回転すると、切替弁のシール羽根が軸部を中心に回転し、温冷風出口に対する温風入口や冷風入口の連通状態が切替えられる。これにより、簡単な構造で温風吹出・冷風吹出・風停止を選択することが可能となる。この際、軸部の貫通部に嵌着した移動リング式カムフォロワが、軸部と一体回転しつつ切替器本体の底部外面に形成したカム面に倣って移動することにより、温風吹出・冷風吹出・風停止の各選択位置で節度感を持ってシール羽根を停止させることができる。一方、切替器本体の開口端部と操作ダイヤルとの間はシール材が介装された状態で弾接され、且つ、切替器本体の内周面および底部内面に沿ってシール羽根が摺接回転されることにより、風漏れ防止に有効な基本構造を備えている。しかも、切替器本体の底部外面にカム面を形成し、弾性部材による押圧力に抗して移動リング式カムフォロワのみを軸部に沿って軸線方向へ移動させる構造としたことにより、移動リング式カムフォロワがカム面を乗り越える際の影響をシール羽根や操作ダイヤルに及ぼすことがなく、切替器本体の開口端部と操作ダイヤルとの間、および、切替器本体の内周面および底部内面とシール羽根との間を回転中も一定のシール状態に保つことができる。よって、操作ダイヤルを回転中における際の風漏れをも防止することができる。
【発明を実施するための最良の形態】
【０００８】
簡単で且つ風漏れの少ない構造を得るという目的を、切替弁の軸部が切替器本体の底部軸心位置を貫通すると共に、軸部の貫通部に軸線方向に対して移動可能で回転方向に対して一体回転する移動リング式カムフォロワを嵌着し、移動リング式カムフォロワを切替器本体の底部外面に形成したカム面へ押圧可能な弾性部材を設ける、という手段で実現した。
【実施例】
【０００９】
以下、本発明を具体化した実施例について、図示例と共に説明する。
【００１０】
図１〜図７は、この発明の実施例を示すものである。
【００１１】
まず、構成を説明すると、図１に示すように、トラックなどの大型車両の空調機１は、ファン２とエバポレータ３とヒータコア４を備えた空調機本体５とを備えている。
【００１２】
そして、大型車両に設けられた温冷蔵庫７には、エバポレータ３を出た直後の約５℃の冷風を取出す冷風ダクト９と、ヒータコア４の直後の約６０℃から７０℃の温風を取出す温風ダクト１０とが接続され、温冷蔵庫７からは戻りダクト１１を介してファン２へと温冷風が循環されるようになっている。冷風ダクト９と温風ダクト１０とは切替装置１２によって切替えられるようになっている。
【００１３】
そして、冷風ダクト９から分岐した分岐冷風ダクト１５と、温風ダクト１０から分岐した分岐温風ダクト１６とを温冷風切替器２０を介してカップホルダー２１へ接続し、冷風または温風をカップホルダー２１へ送給して、カップホルダー２１に保持された飲料２２を保温冷させ得るようにする。
【００１４】
この実施例では、図２〜図４に示すように、上記温冷風切替器２０として、操作が容易で見栄えの良い回転ドラム式のものを採用する。この回転ドラム式の温冷風切替器２０は、周面に温風入口２５と冷風入口２６と温冷風出口２７とを所要のピッチで有するほぼ有底円筒状の切替器本体２９を備えている。なお、温風入口２５には分岐温風ダクト１６が接続され、冷風入口２６には分岐冷風ダクト１５が接続される。また、温冷風出口２７は、周方向へ延びるスリット状とされて上下に３本設けられている。
【００１５】
そして、上記温冷風切替器２０は、ほぼ有底円筒状をした切替器本体２９の開口端部３０をシール材３１を介して回転可能に閉塞する操作ダイヤル３２を備えている。切替器本体２９の開口端部３０にはフランジ３３が設けられ、このフランジ３３に沿ってリング状のシール材３１が貼付られている。操作ダイヤル３２は、ほぼ円板状をしてシール材３１に弾接される操作ダイヤル本体３４と、この操作ダイヤル本体３４の外面に直径方向へ突設された把持部３５と、切替器本体２９のフランジ３３を囲む周壁３６とを備えている。
【００１６】
更に、上記温冷風切替器２０は、切替器本体２９の軸心位置に配置され操作ダイヤル３２によって軸転される軸部３９を有すると共に、軸部３９に設けられて切替器本体２９の内周面および底部内面に沿って摺接回転されるシール羽根４０とを有し、温冷風出口２７に対する温風入口２５や冷風入口２６の連通状態を切替可能な切替弁４１とを備えている。シール羽根４０は、所要の角度を有して２枚設けられている。各シール羽根４０は、シート状のシール材４２と、このシール材４２を両側から挟持する一対の板状の保持部材４３とを備えている。なお、軸部３９の上端は、操作ダイヤル３２の軸心位置に一体的に回転可能に嵌着されている。また、シール羽根４０の図３中上縁部は、操作ダイヤル３２に密接されている。
【００１７】
そして、切替弁４１の軸部３９が切替器本体２９の底部軸心位置を貫通すると共に、軸部３９の貫通部４５に軸線方向に対して移動可能で回転方向に対して一体回転する図５に示すような移動リング式カムフォロワ４６を嵌着する。なお、移動リング式カムフォロワ４６と軸部３９の貫通部４５とはスプライン嵌合されている（スプライン嵌合部４７）。
【００１８】
更に、移動リング式カムフォロワ４６を切替器本体２９の底部外面に形成したカム面４８へ押圧可能な弾性部材４９を設ける。この弾性部材４９は、軸部３９の貫通部４５端部に螺着されたネジ５０の頭部と移動リング式カムフォロワ４６との間に介装されて、軸部３９の図３中上端側で操作ダイヤル３２をシール材３１に弾接させるようにも機能している。この弾性部材４９は、例えば、コイルスプリングなどの圧縮バネで構成する。
【００１９】
次に、この実施例の作用について説明する。
【００２０】
操作ダイヤル３２を回転すると、切替弁４１のシール羽根４０が軸部３９を中心に回転し、温冷風出口２７に対する温風入口２５や冷風入口２６の連通状態が切替えられる。これにより、簡単な構造で温風吹出（図６参照）・冷風吹出（図７参照）・風停止（図４参照）を選択することが可能となる。
【００２１】
この際、軸部３９の貫通部４５に嵌着した移動リング式カムフォロワ４６が、軸部３９と一体回転しつつ切替器本体２９の底部外面に形成したカム面４８に倣って移動することにより、温風吹出・冷風吹出・風停止の各選択位置で節度感を持ってシール羽根４０を停止させることができる。
【００２２】
一方、切替器本体２９の開口端部３０と操作ダイヤル３２との間はシール材３１が介装された状態で弾接され、且つ、切替器本体２９の内周面および底部内面に沿ってシール羽根４０のシール材４２が摺接回転されることにより、風漏れ防止に有効な基本構造を備えている。
【００２３】
しかも、切替器本体２９の底部外面にカム面４８を形成し、弾性部材４９による押圧力に抗して移動リング式カムフォロワ４６のみを軸部３９に沿って軸線方向へ移動させる構造としたことにより、移動リング式カムフォロワ４６がカム面４８を乗り越える際の影響をシール羽根４０や操作ダイヤル３２に及ぼすことがなく、切替器本体２９の開口端部３０と操作ダイヤル３２との間、および、切替器本体２９の内周面および底部内面とシール羽根４０との間を、回転中も一定のシール状態に保つことができる。よって、操作ダイヤル３２を回転中における際の風漏れをも防止することができる。
【００２４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２５】
【図１】本発明の実施例における空調機や温冷蔵庫やカップホルダーを結ぶダクトの系統図である。
【図２】図１の温冷風切替器の斜視図である。
【図３】図２の縦断面図である。
【図４】図２の水平断面図である。
【図５】図３の移動リング式カムフォロワの斜視図である。
【図６】温風吹出モードの時の図４と同様の図である。
【図７】冷風吹出モードの時の図４と同様の図である。
【符号の説明】
【００２６】
２５  温風入口
２６  冷風入口
２７  温冷風出口
２９  切替器本体
３０  開口端部
３１  シール材
３２  操作ダイヤル
３９  軸部
４０  シール羽根
４１  切替弁
４５  貫通部
４６  移動リング式カムフォロワ
４８  カム面
４９  弾性部材
【図１】
2005289331.tif 000003
【図２】
2005289331.tif 000004
【図３】
2005289331.tif 000005
【図４】
2005289331.tif 000006
【図５】
2005289331.tif 000007
【図６】
2005289331.tif 000008
【図７】
2005289331.tif 000009